(57)【要約】【課題】モータベースの下部が筐体底板に溜まった雨水により錆びて朽ち果てることがない空気調和装置の室外機を提供する。【解決手段】送風機を熱交換器に取り付けるモータベースは、熱交換器の高さより短い寸法で上端部が熱交換器上端部の位置で下端が筐体の底部と離間した位置に配置される鉛直方向に延びた左右一対の支柱と、前記支柱の上端部と熱交換器上端部とを連結固定する上部支持具と、熱交換器の中間高さ位置に設けられ、前方から支柱を挟み込むように装着される平面視略コの字形状を成し、前面にファンモータ取付部、左右側面に支柱固定部を備えると共に先端に熱交換器表面に当接させる折曲片を備えたモータ固定具と、前記支柱上部と前記筐体の前面部とを連結固定する上部前方支持具とを有する。【選択図】  図３
2010065872.tif 000002
【特許請求の範囲】
【請求項１】
筐体と、吹出口を有する前面板と、背面側に設置した熱交換器との間に、モータをモータベースに固定した送風機を配置した空気調和装置の室外機において、
前記モータベースは、
熱交換器の高さより短い寸法で上端部が熱交換器上端部の位置で下端が筐体の底部と離間した位置に配置される鉛直方向に延びた左右一対の支柱と、
前記支柱の上端部と熱交換器上端部とを連結固定する上部支持具と、
熱交換器の中間高さ位置に設けられ、前方から支柱を挟み込むように装着される平面視略コの字形状を成し、前面にファンモータ取付部、左右側面に支柱固定部を備えると共に先端に熱交換器表面に当接させる折曲片を備えたモータ固定具と、
前記支柱上部と前記筐体の前面部とを連結固定する上部前方支持具と
を有することを特徴とする空気調和装置の室外機。
【発明の詳細な説明】
【技術分野】
【０００１】
本発明は空気調和装置の室外機に係り、特に送風機のモータを取り付けるモータベースを改良した空気調和装置の室外機に関する。
【背景技術】
【０００２】
一般に空気調和装置の室外機は、例えば、特許文献１に示すように、筐体に室外熱交換器、送風機、密閉型圧縮機、電気部品箱などが収容される。
【０００３】
図４に示すように、従来、送風機１５の筐体への取り付け構造は、モータベース３１を用いた構造になっている。
【０００４】
このモータベース３１は、上端には室外熱交換器７に取り付けられる後部取り付け部３１ａが後方に折り曲がって設けられ、さらに、筐体２の前面板に取り付けられる前部取り付け部３１ｂが前方に折り曲がって設けられ、また、下端には筐体２の底板３に取り付けられる下部取り付け部３１ｃが前方に折り曲がって設けられた構造になっている。
【０００５】
そして、モータベース３１を用いた送風機１５の筐体への取り付け、後部取り付け部３１ａを室外熱交換器７の上端に取り付け、下部取り付け部３１ｃを底板３に直接取り付け、しかる後、モータベース３１にモータ１５ｂを取り付け、さらに、モータ１５ｂにファン１５ａを取り付け、さらに、前部取り付け部３１ｂを筐体２の前面板に固定することで行われている。
【０００６】
しかしながら、モータベースは亜鉛メッキ鋼板をプレス加工で形成しているため防錆力が弱く、また、底板にモータベース３１の下部取り付け部３１ｃをねじ止めで固定するため、底板に雨水が溜まるとモータベースのねじ止め部分が錆やすく、室外機の設置条件及び長年の使用によっては、下部取り付け部のねじが朽ち果てて外れ、固定強度が低下し、圧縮機の運転による振動により騒音発生の原因になるという問題がある。
【０００７】
このため、ねじ固定部分を防錆のある材料を使用したり、防錆処理を施すなど、製造コストが上昇する要因となっていた。
【特許文献１】特開２００４−１５６８８７号公報
【発明の開示】
【発明が解決しようとする課題】
【０００８】
本発明は上述した事情を考慮してなされたもので、モータベースの下部が筐体底板に溜まった雨水により錆びて朽ち果てることがない空気調和装置の室外機を提供することを目的とする。
【課題を解決するための手段】
【０００９】
上述した目的を達成するため、本発明に係る空気調和装置の室外機は、筐体と、吹出口を有する前面板と、背面側に設置した熱交換器との間に、モータをモータベースに固定した送風機を配置した空気調和装置の室外機において、前記モータベースは、熱交換器の高さより短い寸法で上端部が熱交換器上端部の位置で下端が筐体の底部と離間した位置に配置される鉛直方向に延びた左右一対の支柱と、前記支柱の上端部と熱交換器上端部とを連結固定する上部支持具と、熱交換器の中間高さ位置に設けられ、前方から支柱を挟み込むように装着される平面視略コの字形状を成し、前面にファンモータ取付部、左右側面に支柱固定部を備えると共に先端に熱交換器表面に当接させる折曲片を備えたモータ固定具と、前記支柱上部と前記筐体の前面部とを連結固定する上部前方支持具とを有することを特徴とする。
【発明の効果】
【００１０】
本発明に係る空気調和装置の室外機によれば、モータベースの下部が筐体底板に溜まった雨水により錆びて朽ち果てることがない空気調和装置の室外機を提供することができる。
【発明を実施するための最良の形態】
【００１１】
本発明の一実施形態に係る空気調和装置の室外機について添付図面を参照して説明する。
【００１２】
図１は本発明に係る空気調和装置の室外機の斜視図、図２、図３は本室外機内部を示す斜視図である。
【００１３】
図１に示すように、本実施形態の空気調和装置の室外機１は、筐体２を備え、この筐体２は固定脚３ａを備えた底板３と、この底板３から立設され吹出口４ａが設けられ、取り外し可能な前面板４と、この前面板４の左右方向に連設されかつ、底板３から立設された側板５、側板６と、この側板５、６に連設され、背面側をなすように背面に配置した熱交換器７（図２）と、前面板４、側板５、６および熱交換器７で区画される上面開口を覆うように載置された天板８で構成される。
【００１４】
図２に示すように、筐体２内は仕切板９によって、機械室１０と熱交換室１１とに区画される。
【００１５】
機械室１０には、底板３上に載置されてアキュムレータ１２ａを備えた圧縮機１２、現地配管接続部であるパックドバルブ１３、電気部品１４、冷媒配管等が収容される。
【００１６】
また、熱交換室１１には、底板３上に取り付けられて熱交換器７が収容され、さらに、ファン１５ａとモータ１５ｂを備えた送風機１５が熱交換器７の風下側に取り付けられて収容される。
【００１７】
送風機１５の熱交換器７への取り付けには、モータベース２１を用いる。
【００１８】
図３に示すように、モータベース２１は、上部支持具２２と、支柱２３、２３と、モータ固定具２４、２４と、上部前方支持具２５とにより構成し、各部品は、亜鉛メッキ鋼板などの金属製で、各々別個にプレス成形された後、螺着により結合される。
【００１９】
前記支柱２３、２３は、モータベースの中心部を構成し、鉛直方向に延びたレール状に配された左右一対の長尺棒状部材からなり、その長さは略筐体２の高さの２／３程度であり、熱交換器の高さより短い寸法で上端部が熱交換器上端部の位置で下端部２３ａは底板３迄達せず底板３と離間した位置に配置される。
【００２０】
前記上部支持具２２は、幅方向が左右に配置された前記支柱２３、２３の幅と略同等の間隔を持ち前方をこの支柱２３、２３の上端部２３ｂと、後方部を熱交換器７の上端部７ａとを連結固定する板状の部材で、後方端に上部支持具２２の下方に折り曲げた後部係止片部２２ａを備え、この後部係止片部２２ａが熱交換器７の裏面に当接し、さらに中間部に下方に折り曲げられた中間係止片部２２ｂが設けられ、この中間係止片部２２ｂが、熱交換器７の前面側に当接し、この中間係止片部２２ｂと前記後部係止片部２２ａとにより、熱交換器７の上端７ａを挟み込むように引っ掛けて取り付け固定される。さらに、前部には、左右の支柱２３、２３の上端部２３ｂを周囲より囲むように係止する折返し片部２２ｄを有する前部係止片部２２ｃが形成され、前部係止片部２２ｃを左右の支柱２３、２３の上端部２３ｂにネジにより螺着され固定される。
【００２１】
モータ固定具２４、２４は、上下位置に平行に一対で構成し、上下の部品が対称形状をなしており、熱交換器７の中間高さ位置に設けられ、前方から支柱２３、２３を挟み込むように装着される平面視略コの字形状を成している。また、モータ固定具２４、２４の夫々左右の先端には、熱交換器７前面側表面に当接させる折曲片２４ａを備え、左右側面は、支柱側面にネジにより螺着固定される支持部２４ｂを夫々形成し、さらに、前面には、送風機１５のモータ１５ｂを取り付け固定するためのファンモータ取付部２４ｃを備えている。このファンモータ取付部２４ｃ、２４ｃは、上下対向する中央内側面が湾曲状に切り欠かれていて、上記モータ１５ｂの後方部がこの切り欠き間に形成する空間に挿入されて配置され、モータ１５ｂの外周より４方向に突出するように取り付けられたモータ取付部材２６をファンモータ取付部２４ｃの前面にボルトにより固定して取り付けている。
【００２２】
上部前方支持具２５は、前記支柱２３の上端部２３ｂに近い上方位置と、前記筐体２の前面部に取り付けられる前面板４とを連結固定するものであり、略Ｌ字形状の棒状部材で構成し、前記支柱２３の上方位置に後端部２５ａを溶着或いはネジにより螺着されて接合されている。また前方に延びる前端部２５ｂは、前面板４にネジにより螺着されて固定される。
【００２３】
従って、モータベース２１を用いた送風機１５の熱交換器７への取り付けは、予め、送風機１５のモータ１５ｂ周囲に取り付けられた４方向に突出するモータ取付部材２６をボルトなどによりモータ固定具２４、２４に取り付けておき、上部支持具２２の後部係止片部２２ａと中間係止片部２２ｂで熱交換器７を挟み、上部支持具２２を熱交換器７に固定し、モータ固定具２４、２４の折曲片２４ａを熱交換器７表面に当接させて、送風機１５を熱交換器７の前面の中間高さ位置にモータベース２１の下端部が底面に接触しない状態で取り付ける。必要に応じて、補強部材とネジを追加してより強固にモータベース２１を熱交換器７に取り付けてもよい。
【００２４】
しかる後、前面板４をネジにより底板３に螺着し、上部前方支持具２５を前面板４に螺着する。
【００２５】
上記のようなモータベース２１を用いることで、支柱２３、２３の下端部２３ａが底板３に接することなく、送風機１５を熱交換器７へ取り付けることができ、モータベース２１の下部が底板３に溜まった雨水により錆びて朽ち果てることがない。
【００２６】
本実施形態の空気調和装置の室外機によれば、モータベースの下部が筐体の底板に溜まった雨水により錆びて朽ち果てることがない空気調和装置の室外機が実現する。
【図面の簡単な説明】
【００２７】
【図１】本発明の空気調和装置の室外機の斜視図。
【図２】本発明の空気調和装置の室外機の内部を示す斜視図。
【図３】本発明の空気調和装置の室外機のモータベースを用いて取り付けた送風機の斜視図。
【図４】従来の空気調和装置の室外機の内部を示す斜視図。
【符号の説明】
【００２８】
１…室外機、２…筐体、３…底板、４…前面板、７…熱交換器、７ａ…上端、９…仕切板、１０…機械室、１１…熱交換室、１２…圧縮機、１５…送風機、１５ａ…ファン、１５ｂ…モータ、２１…モータベース、２２…上部支持具、２２ａ…後部係止片部、２２ｂ…中間係止片部、２２ｃ…前部係止片部、２２ｄ…折返し片部、２３…支柱、２３ａ…下端部、２３ｂ…上端部、２４…モータ固定具、２４ａ…折曲片、２４ｂ…支持部、２４ｃ…ファンモータ取付部、２５…上部前方支持具、２５ａ…後端部、２５ｂ…前端部、２６…モータ取付部材。
【図１】
2010065872.tif 000003
【図２】
2010065872.tif 000004
【図３】
2010065872.tif 000005
【図４】
2010065872.tif 000006